(57)【要約】【課題】舗装地に埋設された筒状物の周囲地盤の凍上を防止することができる凍上防止システムおよび凍上防止工法を提供する。【解決手段】凍上防止システム２は、上下方向に筒状に延び且つ上端面が舗装地４の表面４ａと面一となるように埋設された筒状物６の周囲地盤から水を集める集水シート８と、集水シート８が集めた水を所定深さよりも深い地盤内部に排出する排水シート１０とを備える。凍上防止工法は、上下方向に筒状に延び且つ上端面が舗装地４の表面４ａと面一となるように筒状物６を埋設予定箇所に設置する工程と、筒状物６の周囲地盤から水を集める集水シート８を敷設する工程と、集水シート８が集めた水を所定深さよりも深い地盤内部に排出する排水シート１０を敷設する工程とを含む。【選択図】図１
2022000560.tif 000002
【特許請求の範囲】
【請求項１】
舗装地に埋設された筒状物の周囲地盤の凍上を防止する凍上防止システムであって、
上下方向に筒状に延び且つ上端面が舗装地の表面と面一となるように埋設された筒状物の周囲地盤から水を集める集水シートと、前記集水シートが集めた水を所定深さよりも深い地盤内部に排出する排水シートとを備える凍上防止システム。
【請求項２】
前記排水シートは舗装地の表層部から前記所定深さよりも深い部分まで前記筒状物の外周面に沿って筒状に巻き付けられている、請求項１に記載の凍上防止システム。
【請求項３】
前記集水シートは前記筒状物の径方向に沿って且つ前記筒状物に向かって下方に傾斜して埋設されている、請求項１または２に記載の凍上防止システム。
【請求項４】
前記集水シートは前記筒状物を中心として放射状に複数埋設されている、請求項１から３までのいずれかに記載の凍上防止システム。
【請求項５】
前記集水シートは親水性および吸水性を有する、請求項１から４までのいずれかに記載の凍上防止システム。
【請求項６】
前記集水シートは上下方向において砕石と交互に積層されている、請求項１から５までのいずれかに記載の凍上防止システム。
【請求項７】
舗装地に埋設された筒状物の周囲地盤の凍上を防止する凍上防止工法であって、
上下方向に筒状に延び且つ上端面が舗装地の表面と面一となるように筒状物を埋設予定箇所に設置する工程と、
前記筒状物の周囲地盤から水を集める集水シートを敷設する工程と、
前記集水シートが集めた水を所定深さよりも深い地盤内部に排出する排水シートを敷設する工程とを含む凍上防止工法。
【請求項８】
舗装地の表層部に相当する部分から前記所定深さよりも深い部分まで前記筒状物の外周面に沿って筒状に前記排水シートを巻き付ける、請求項７に記載の凍上防止工法。
【請求項９】
前記筒状物の径方向に沿って且つ前記筒状物に向かって下方に傾斜させて前記集水シートを敷設する、請求項７または８に記載の凍上防止工法。
【請求項１０】
前記筒状物を中心として放射状に複数の前記集水シートを敷設する、請求項７から９までのいずれかに記載の凍上防止工法。
【請求項１１】
前記集水シートは親水性および吸水性を有する、請求項７から１０までのいずれかに記載の凍上防止工法。
【請求項１２】
上下方向において前記集水シートと砕石とを交互に積層する、請求項７から１１までのいずれかに記載の凍上防止工法。
【発明の詳細な説明】
【技術分野】
【０００１】
本発明は、舗装地に埋設された筒状物の周囲地盤の凍上を防止する凍上防止システムおよび凍上防止工法に関する。
【背景技術】
【０００２】
寒冷地では、寒気が地盤に浸入して霜柱（アイスレンズ）が地盤内部に形成され、舗装地の表面が持ち上がる凍上現象が発生し、舗装地に亀裂が生じることがある。マンホールや仕切弁筐、各種地下浸透施設（側溝、集水ます、雨水ます、浸透ます）等の筒状物が埋設された地盤が凍上すると、筒状物の内部を通って寒気が地盤に深く浸入するため、筒状物の周囲地盤の凍上量は比較的大きくなる傾向があり、筒状物の周囲の舗装地の表面が筒状物の上端面よりも数ｃｍ程度隆起する場合がある。このような場合には、筒状物の埋設箇所が陥没したような状況になり、歩行者や車両の通行に支障をきたすという問題がある。そこで、舗装地に埋設された筒状物の周囲地盤の凍上を防止するために、筒状物の周囲地盤に薬剤等を添加混合して筒状物の周囲地盤の凍結温度を下げる方法や、筒状物の周囲地盤を、凍上を起こしにくい材料に置き換える置換工法、筒状物の周囲地盤に遮水層を設けて降水および地下水が筒状物周囲の凍上性の地盤へ補給されるのを防ぐ遮断工法が行われることがある。さらに、発泡スチロール破砕物成型部材等の断熱材を筒状物の周囲に敷設する断熱工法が行われることがある（たとえば特許文献１参照。）。
【先行技術文献】
【特許文献】
【０００３】
【特許文献１】特開２００３−８２６９８号公報
【発明の概要】
【発明が解決しようとする課題】
【０００４】
しかしながら、従来の工法を実施しても筒状物の周囲地盤の凍上を十分に防止することができない場合が存在することを本発明者等は実験的に確認した。
【０００５】
上記事実に鑑みてなされた本発明の課題は、舗装地に埋設された筒状物の周囲地盤の凍上を防止することができる凍上防止システムおよび凍上防止工法を提供することである。
【課題を解決するための手段】
【０００６】
本発明の第１の局面は上記課題を解決するために以下の凍上防止システムを提供する。すなわち、舗装地に埋設された筒状物の周囲地盤の凍上を防止する凍上防止システムであって、上下方向に筒状に延び且つ上端面が舗装地の表面と面一となるように埋設された筒状物の周囲地盤から水を集める集水シートと、前記集水シートが集めた水を所定深さよりも深い地盤内部に排出する排水シートとを備える凍上防止システムを本発明の第１の局面は提供する。
【０００７】
好ましくは、前記排水シートは舗装地の表層部から前記所定深さよりも深い部分まで前記筒状物の外周面に沿って筒状に巻き付けられている。前記集水シートは前記筒状物の径方向に沿って且つ前記筒状物に向かって下方に傾斜して埋設されているのが望ましい。前記集水シートは前記筒状物を中心として放射状に複数埋設されているのが好適である。前記集水シートは親水性および吸水性を有するのが好都合である。前記集水シートは上下方向において砕石と交互に積層されているのが好ましい。
【０００８】
本発明の第２の局面は上記課題を解決するために以下の凍上防止工法を提供する。すなわち、舗装地に埋設された筒状物の周囲地盤の凍上を防止する凍上防止工法であって、上下方向に筒状に延び且つ上端面が舗装地の表面と面一となるように筒状物を埋設予定箇所に設置する工程と、前記筒状物の周囲地盤から水を集める集水シートを敷設する工程と、前記集水シートが集めた水を所定深さよりも深い地盤内部に排出する排水シートを敷設する工程とを含む凍上防止工法を本発明の第２の局面は提供する。
【０００９】
好ましくは、舗装地の表層部に相当する部分から前記所定深さよりも深い部分まで前記筒状物の外周面に沿って筒状に前記排水シートを巻き付ける。前記筒状物の径方向に沿って且つ前記筒状物に向かって下方に傾斜させて前記集水シートを敷設するのが望ましい。前記筒状物を中心として放射状に複数の前記集水シートを敷設するのが好適である。前記集水シートは親水性および吸水性を有するのが好都合である。上下方向において前記集水シートと砕石とを交互に積層するのが好ましい。
【発明の効果】
【００１０】
本発明によれば、舗装地に埋設された筒状物の周囲地盤から集水シートによって水を集めると共に、集水シートが集めた水を所定深さよりも深い地盤内部に排水シートによって排出するので、筒状物の周囲地盤の所定深さ内の水を低減することができ、筒状物の周囲地盤の凍上を防止することができる。
【図面の簡単な説明】
【００１１】
【図１】本発明に従って構成された凍上防止システムが適用された舗装地の断面図。
【図２】図１のＡ−Ａ線断面図。
【図３】筒状物を埋設予定箇所に設置した状態を示す舗装地の断面図。
【図４】筒状物および排水シートを設置および敷設した状態を示す舗装地の断面図。
【図５】（ａ）筒状物の周囲に砕石を敷き詰めた状態を示す舗装地の断面図、（ｂ）砕石の上面に集水シートを敷設した状態を示す舗装地の断面図、（ｃ）本発明の凍上防止工法によって構築された舗装地の断面図。
【発明を実施するための形態】
【００１２】
以下、本発明の凍上防止システムおよび凍上防止工法の好適実施形態について図面を参照しつつ説明する。
【００１３】
まず、本発明の凍上防止システムの実施形態について図１および図２を参照して説明する。図１に全体を符号２で示す凍上防止システムは、舗装地４に埋設された筒状物６の周囲地盤から水を集める集水シート８と、集水シート８が集めた水を所定深さよりも深い地盤内部に排出する排水シート１０とを備える。
【００１４】
図示の実施形態の筒状物６は、上下方向に延びる円筒状のコンクリート製マンホール１２と、マンホール１２の上端開口を覆う円板状の金属製の蓋１４とを含む。図１に示すとおり、筒状物６の上端面（蓋１４の上面）は舗装地４の表面４ａと面一となるように舗装地４に埋設されている。なお、筒状物６は、マンホール１２と蓋１４とを含む構成に限定されず、上下方向に筒状に延び且つ上端面が舗装地４の表面４ａと面一となるように舗装地４に埋設されるものであればよく、たとえば仕切弁筐（図示していない。）、各種地下浸透施設（側溝、集水ます、雨水ます、浸透ます）等であってもよい。筒状物６の材質は鋼材等の適宜の金属材料または合成樹脂材料等も用いられ得る。
【００１５】
図２を参照して説明すると、集水シート８は、筒状物６を中心として放射状に且つ筒状物６の周方向に等間隔をおいて複数枚（図示の実施形態では８枚）埋設されている。集水シート８は、筒状物６の周方向に不等間隔をおいて埋設されていてもよく、たとえば、地盤の内部で水が比較的溜まりやすい場所においては集水シート８同士の間隔を狭め、地盤の内部で水はけが比較的良好な場所においては集水シート８同士の間隔を広げるようにしてもよい。集水シート８の枚数およびサイズは、筒状物６が埋設された地盤の凍上量や凍上範囲に応じて任意に決定され得る。
【００１６】
図１および図２を参照することによって理解されるとおり、図示の実施形態の集水シート８は、筒状物６の径方向に沿って且つ筒状物６に向かって下方に傾斜して埋設されている。集水シート８は水平に埋設されていてもよいが、水平面と集水シート８とのなす角度θは、集水シート８が水平に埋設された場合（θ＝０°）と比較して、集水シート８によって集められた水が集水シート８に沿って流れやすくなる角度（たとえば１°〜１５°程度）であるのが好ましい。
【００１７】
集水シート８は、導水性を有する適宜の合成樹脂材料の織布または不織布から形成され得る。集水シート８の材質としては、たとえば、ナイロン、ポリエステル、ポリオレフィンまたはセルロースエステル等が挙げられる。集水シート８は親水性および吸水性を有しているのが好ましく、これにより、重力によって集水シート８の上方から流れてきた水を集めることができるだけでなく、重力に逆らって集水シート８の下方からも水を吸い上げて集めることができ、また、図２に示すとおり、集水シート８の側方（筒状物６の周方向）からも水を集めることができる。
【００１８】
図１および図２に示すとおり、集水シート８は、上下方向において砕石１６と交互に積層されている。砕石１６は、透水性が比較的良好なものが好ましく、たとえば、岩石、玉石またはコンクリート廃材等を破砕したものが用いられ得る。砕石１６の粒度は調整されていてもよく調整されていなくてもよい。
【００１９】
図示の実施形態の排水シート１０は、舗装地４の表層部１８の下端１８ａから所定深さよりも深い部分まで筒状物６の外周面に沿って円筒状に巻き付けられている。本明細書における表層部１８は、舗装地４の表層と、表層の下方に敷設される基層とから構成される部分でもよく、あるいは舗装地４の表層のみから構成される部分でもよい。図示の実施形態の排水シート１０の上端は表層部１８の下端１８ａに位置づけられているが、排水シート１０の上端位置は、表層部１８の下端１８ａに限定されず、表層部１８の上端（舗装地４の表面４ａ）であってもよく、あるいは表層部１８の上端（舗装地４の表面４ａ）と表層部１８の下端１８ａとの間であってもよい。
【００２０】
上記所定深さは、たとえば、寒気によって地盤が凍る深さである凍結深度に設定され得る。凍結深度は、地域によって異なると共に最低気温に関連して変動するものであるが、たとえば、凍上防止システム２が適用される地域における冬季の平均最低気温に基づいて上記所定深さとしての凍結深度が設定され得る。
【００２１】
排水シート１０の下端位置を決定する際は、たとえば、まず、筒状物６の埋設予定箇所において冬季の平均最低気温に基づき、筒状物６が埋設されていない場合の凍結深度を求める。次いで、筒状物６の埋設予定箇所において筒状物６が埋設された場合の筒状物６の周辺地盤の凍結深度を求める。通常、筒状物６が埋設されると筒状物６の内部を通って寒気が地盤に深く浸入するので、筒状物６が埋設された場合の筒状物６の周辺地盤の凍結深度は、筒状物６が埋設されていない場合の凍結深度よりも深くなる。このため、筒状物６が埋設された場合の筒状物６の周辺地盤の凍結深度は、筒状物６が埋設されていない場合の凍結深度に適宜の係数を乗じて求めることができる。次いで、筒状物６の埋設予定箇所における筒状物６の周辺地盤の凍結深度を所定深さとして設定する。そして、設定した所定深さに適宜の係数を乗じた深さを排水シート１０の下端位置として決定する。
【００２２】
排水シート１０は、集水シート８と同様に、導水性を有する適宜の合成樹脂材料の織布または不織布から形成され得る。排水シート１０の材質は、ナイロン、ポリエステル、ポリオレフィンまたはセルロースエステル等でよい。また、排水シート１０は親水性および吸水性を有しているのが好都合である。そして、図１および図２において地下水の流れを矢印で示すとおり、排水シート１０は、集水シート８が集めた水を所定深さよりも深い地盤内部に排出する。
【００２３】
上述したとおりの凍上防止システム２においては、舗装地４に埋設された筒状物６の周囲地盤から集水シート８によって水を集めると共に、集水シート８が集めた水を所定深さよりも深い地盤内部に排水シート１０によって排出するので、舗装地４に埋設された筒状物６の周囲地盤の所定深さ内の水を低減することができ、筒状物６の周囲地盤の凍上を防止することができる。
【００２４】
次に、本発明の凍上防止工法の実施形態について説明する。なお、凍上防止工法の実施形態においては、上述の凍上防止システム２の実施形態の構成要素と同一でよい構成要素には凍上防止システム２の実施形態の構成要素と同一の符号を付し説明を省略する。
【００２５】
図示の実施形態では、まず、上下方向に筒状に延び且つ上端面が舗装地の表面と面一となるように筒状物６を埋設予定箇所に設置する工程を実施する。図３に示すとおり、筒状物６を設置する際は、まず、筒状物６の埋設予定箇所の地面２０を掘削して地面２０に穴２２を形成する。そして、筒状物６の上端面（蓋１４の上面）が地面２０（舗装地の表面）と面一となるように、形成した穴２２に筒状物６を設置する。
【００２６】
筒状物６を埋設予定箇所に設置した後、集水シート８が集めた水を所定深さよりも深い地盤内部に排出する排水シート１０を敷設する工程を実施する。図示の実施形態では図４に示すとおり、舗装地の表層部１８の下端１８ａに相当する部分から所定深さよりも深い部分まで筒状物６の外周面に沿って筒状に排水シート１０を巻き付けている。
【００２７】
図示の実施形態では筒状物６を設置した後に排水シート１０を敷設しているが、筒状物６を設置する工程と、排水シート１０を敷設する工程とを同時に実施してもよい。すなわち、筒状物６を埋設予定箇所に設置する前に、あらかじめ筒状物６の外周面に排水シート１０を巻き付けておき、排水シート１０を巻き付けた筒状物６を埋設予定箇所に設置するようにしてもよい。
【００２８】
筒状物６および排水シート１０を設置および敷設した後、筒状物６の周囲地盤から水を集める集水シート８を敷設する工程を実施する。図５を参照して説明すると、集水シート８を敷設する際は、まず、図５（ａ）に示すとおり、上面が筒状物６に向かって下方に傾斜するように砕石１６を筒状物６の周囲に敷設する。砕石１６の傾斜上面１６ａと水平面とのなす角度θは０°でもよいが、集水シート８に沿って水を流れやすくする観点から１°〜１５°程度であるのが好ましい。
【００２９】
次いで、図５（ｂ）に示すとおり、筒状物６の径方向に沿って砕石１６の傾斜上面１６ａに集水シート８を敷設する。筒状物６の周方向に不等間隔をおいて集水シート８を敷設してもよいが、筒状物６を中心として放射状に且つ筒状物６の周方向に等間隔をおいて集水シート８を敷設するのが好適である。次いで、上下方向において集水シート８と砕石１６とを交互に積層する。そして、図５（ｃ）に示すとおり、地面２０と面一となるように舗装の表層部１８を構築する。
【００３０】
以上のとおりであり、図示の実施形態の凍上防止工法によれば、舗装地に埋設された筒状物６の周囲地盤から集水シート８によって水を集めると共に、集水シート８が集めた水を所定深さよりも深い地盤内部に排水シート１０によって排出するので、舗装地に埋設された筒状物６の周囲地盤の所定深さ内の水を低減することができ、筒状物６の周囲地盤の凍上を防止することができる。
【００３１】
２：凍上防止システム
４：舗装地
４ａ：舗装地の表面
６：筒状物
８：集水シート
１０：排水シート
１２：マンホール
１４：蓋
１６：砕石
１６ａ：砕石の傾斜上面
１８：舗装地の表層部
１８ａ：舗装地の表層部下端
【図１】
2022000560.tif 000003
【図２】
2022000560.tif 000004
【図３】
2022000560.tif 000005
【図４】
2022000560.tif 000006
【図５】
2022000560.tif 000007